(57)【要約】【課題】  画像形成装置に発生した異常状態を解消するときに生じる振動や衝撃により、ハードディスクドライブが損傷されるのを防止して、高機能の画像形成装置の信頼性向上を図る。【解決手段】  画像形成機器１にて異常状態を検知したら、先ずＨＤＤのヘッドをオペレーティングポジションからセーフポジションに退避させる。次いで退避工程完了後にユーザに異常状態を通知して、ユーザによる異常状態の解消操作を開始する。【選択図】図３
2006297896.tif 000002
【特許請求の範囲】
【請求項１】
ハードディスク装置を有する画像形成装置において、
画像形成装置の異常状態を検出する検出部と、
前記検出部が異常状態を検出したことに応じて、前記ハードディスク装置のヘッドをセーフポジションに移動させる制御部と、
前記ヘッドのセーフポジションへの移動を完了した後、前記異常状態を表示する表示部とを具備することを特徴とする画像形成装置。
【請求項２】
前記制御部は、前記異常状態の解消操作を完了したら、前記ヘッドをオペレーティングポジションに移動させることを特徴とする請求項１記載の画像形成装置。
【請求項３】
前記ヘッドの前記セーフポジションへの移動の完了は、前記異常状態の発生から所定時間を経過したことにより認識されることを特徴とする請求項１記載の画像形成装置。
【請求項４】
前記所定時間は、前記ヘッドが前記セーフポジションに移動を完了するのに要する時間よりも長いことを特徴とする請求項３記載の画像形成装置。
【請求項５】
前記表示部は、コントロールパネル上に前記異常状態を目視可能に示すことを特徴とする請求項１記載の画像形成装置。
【請求項６】
前記表示部は、音声にて前記異常状態を表示することを特徴とする請求項１記載の画像形成装置。
【請求項７】
前記異常状態は、前記画像形成装置に人為的な衝撃が加わる可能性がある状態であることを特徴とする請求項１記載の画像形成装置。
【請求項８】
前記異常状態は、前記異常状態解消のために、操作者に前記画像形成装置内部の作業を必要とする状態であることを特徴とする請求項１記載の画像形成装置。
【請求項９】
前記セーフポジションは、前記ハードディスク装置の磁気ディスクのメモリ領域上方から外れた位置であることを特徴とする請求項１記載の画像形成装置。
【請求項１０】
前記セーフポジションは、前記画像形成装置に人為的な衝撃が加わった時に前記ヘッドが前記ハードディスク装置の磁気ディスクのメモリ領域に接触しない位置であることを特徴とする請求項１記載の画像形成装置。
【請求項１１】
ハードディスク装置を有する画像形成装置の保護方法において、
画像形成装置の異常状態を検出する検出工程と、
前記検出工程にて前記異常状態を検出したら、前記ハードディスク装置のヘッドをセーフポジションに移動する退避工程と、
前記退避工程を完了した後に、前記異常状態を表示する表示工程とを具備することを特徴とする画像形成装置の保護方法。
【請求項１２】
前記退避工程の完了は、前記異常状態の発生から所定時間を経過したことにより認識されることを特徴とする請求項１１記載の画像形成装置の保護方法。
【請求項１３】
ハードディスク装置を有する画像形成装置の保護方法において、
画像形成装置の異常状態を検出する検出工程と、
前記検出工程にて前記異常状態を検出したら、前記ハードディスク装置のヘッドをセーフポジションに移動する退避工程と、
前記検出工程にて前記異常状態を検出した後に所定時間の経過をチェックする判断工程と、
前記判断工程にて前記所定時間を経過したことを判断したら、前記異常状態を表示する表示工程とを具備することを特徴とする画像形成装置の保護方法。
【請求項１４】
前記異常状態は、前記異常状態解消のために、操作者に前記画像形成装置内部の作業を必要とする状態であることを特徴とする請求項１１または請求項１３記載の画像形成装置の保護方法。
【請求項１５】
前記検出工程は、前記画像形成装置の紙詰まりを検出することを特徴とする請求項１１または請求項１３記載の画像形成装置の保護方法。
【請求項１６】
前記検出工程は、前記画像形成装置のサービスマンコールを検出することを特徴とする請求項１１または請求項１３記載の画像形成装置の保護方法。
【請求項１７】
前記検出工程は、前記画像形成装置のトナーエンプティを検出することを特徴とする請求項１１または請求項１３記載の画像形成装置の保護方法。
【請求項１８】
前記検出工程は、前記画像形成装置のトナーバッグ交換を検出することを特徴とする請求項１１または請求項１３記載の画像形成装置の保護方法。
【請求項１９】
前記異常状態の解消操作を完了したら、前記ヘッドをオペレーティングポジションに移動するウォーミングアップ工程を更に具備することを特徴とする請求項１１または請求項１３記載の画像形成装置の保護方法。
【請求項２０】
前記表示工程は、コントロールパネル上に前記異常状態を目視可能に示すことを特徴とする請求項１１または請求項１３記載の画像形成装置の保護方法。
【請求項２１】
前記表示工程は、音声にて前記異常状態を表示することを特徴とする請求項１１または請求項１３記載の画像形成装置の保護方法。
【請求項２２】
前記検出工程にて異常状態を検出すると、前記ハードディスク装置に対してスタンバイコマンドを発行する工程を更に具備して、前記スタンバイコマンドに応答して前記退避工程を実施することを特徴とする請求項１１または請求項１３記載の画像形成装置の保護方法。
【請求項２３】
前記セーフポジションは、前記ハードディスク装置の磁気ディスクのメモリ領域上方から外れた位置であることを特徴とする請求項１１または請求項１３記載の画像形成装置の保護方法。
【請求項２４】
前記セーフポジションは、前記画像形成装置に人為的な衝撃が加わった時に前記ヘッドが前記ハードディスク装置の磁気ディスクのメモリ領域に接触しない位置であることを特徴とする請求項１１または請求項１３記載の画像形成装置の保護方法。
【請求項２５】
前記退避工程完了後に、完了信号を送信する工程を更に具備して、前記完了信号に応答して前記表示工程を実施することを特徴とする請求項１１または請求項１３記載の画像形成装置の保護方法。
【請求項２６】
前記所定時間は、前記退避工程にて前記ヘッドが前記セーフポジションに移動を完了するのに要する時間よりも長いことを特徴とする請求項１２または請求項１３記載の画像形成装置の保護方法。
【請求項２７】
ハードディスク装置を有する画像形成装置の保護方法において、
画像形成装置への給紙カセットの装着を検出するカセット検出工程と、
前記カセット検出工程にて前記給紙カセットの装着が検出されたら、前記給紙カセット内の用紙の有無を検出する用紙検出工程と、
前記用紙検出工程にて用紙切れを検出したら、前記ハードディスク装置のヘッドをセーフポジションに移動する退避工程と、
前記用紙切れを検出した後に所定時間の経過を判断する判断工程と、
前記判断工程にて前記所定時間を経過したことを判断したら、前記異常状態を表示する表示工程とを具備することを特徴とする画像形成装置の保護方法。
【発明の詳細な説明】
【技術分野】
【０００１】
本発明はハードディスク装置を有する画像形成装置及び画像形成装置の保護方法に関する。
【背景技術】
【０００２】
プリンタ、ファクシミリ、プロッタ、或いは多機能周辺機器（ｍｕｌｔｉ−ｆｕｎｃｔｉｏｎ  ｐｅｒｉｐｈｅｒａｌ：以下ＭＦＰと略称する。）のような画像形成装置にあっては、画像形成機能の高機能化を実現するためにハードディスク装置（ｈａｒｄ  ｄｉｓｋ  ｄｒｉｖｅ：以下ＨＤＤと略称する。）を有するものがある。このＨＤＤは、磁気ディスクのメモリ領域近傍に位置するヘッドによりメモリの読み出し及び書き込みを行っている。
【０００３】
他方画像形成装置にあっては、画像形成動作中に、画像を形成するための画像形成装置にて、例えば紙詰まり、サービスマンコール、トナーエンプティ、トナーバッグ交換、或いはペーパエンプティ等の異常状態を生じると、異常状態を解消するためにユーザは種々解消操作を行う。この解消操作は、画像形成装置に人為的な振動或いは衝撃を加える可能性がある。このためＨＤＤを有する画像形成装置にあっては、画像形成装置の異常状態の解消操作時に振動或いは衝撃がＨＤＤに伝わり、ヘッドが磁気ディスクに当ってヘッド或いは磁気ディスクを損傷する恐れがある。
【０００４】
このような振動或いは衝撃からＨＤＤを保護するために、従来ゴムダンパーまたはゲルダンパー等の弾性部材を介して、画像形成装置にＨＤＤを固定する装置がある。しかしながら画像形成装置からＨＤＤに伝わる振動或いは衝撃は、弾性部材のみで有効に軽減するのは難しく、より効果的に振動或いは衝撃を軽減するにはより高い振動周波数に対応する高価格の弾性部材を使用しなければならず、コストの低減を妨げてもいた。
【０００５】
このため従来、ＨＤＤへの振動や衝撃の発生に先だって、ＨＤＤをスタンバイモードに設定して、ＨＤＤを衝撃から保護する装置がある。（例えば特許文献１参照。）
【特許文献１】特開２００２−６２７６３号公報明細書（第４、５頁、図２）
【発明の開示】
【発明が解決しようとする課題】
【０００６】
しかしながら（特許文献１）は、例えば紙カセットを引き出した場合、或いは紙詰まり除去のために原稿フィーダを開放したり本体の用紙搬送路側の扉を開けたりした場合等、画像形成装置の加動部が動いた事を検知した後に、ＨＤＤをスタンバイモードに設定するものである。即ち（特許文献１）にあっては、異常状態を解消するために、ユーザが画像形成装置の加動部を動かした後であって、紙カセット、原稿フィーダ或いは扉等を閉めることにより生じる衝撃が発生される前に、ＨＤＤをスタンバイモードに設定するものであり、異常状態解消操作の最後に紙カセット、原稿フィーダ或いは扉等を閉めることにより生じる衝撃からＨＤＤを保護するものである。このためユーザが異常状態解消操作を開始して、画像形成装置の加動部を動かし、更に解消操作を行っている間は、ＨＤＤはスタンバイモードに設定されていないため、ＨＤＤに振動或いは衝撃が伝わる可能性があり、ＨＤＤを損傷する恐れがあった。
【０００７】
そこで本発明は上記課題を解決するものであり、画像形成装置にて人為的に異常状態の解消操作を行う場合に、ＨＤＤが損傷されるのを確実に防止して、価格の上昇を生じることなく信頼性を向上出来る高機能の画像形成装置及び画像形成装置の保護方法を提供することを目的とする。
【課題を解決するための手段】
【０００８】
本発明は上記課題を解決するための手段として、ハードディスク装置を有する画像形成装置において、画像形成装置の異常状態を検出する検出部と、前記検出部が異常状態を検出したことに応じて、前記ハードディスク装置のヘッドをセーフポジションに移動させる制御部と、前記ヘッドのセーフポジションへの移動を完了した後、前記異常状態を表示する表示部とを具備するものである。
【発明の効果】
【０００９】
本発明によれば、人為的に画像形成装置の異常状態を解消する時に、ＨＤＤに振動或いは衝撃が加わったとしても、高価な弾性部材を使用する必要が無く、ＨＤＤの損傷を確実に防止することが出来、価格の上昇を生じることなく、高い画像形成機能を有する画像形成装置における信頼性向上を得ることが出来る。
【発明を実施するための最良の形態】
【００１０】
以下、本発明の実施例について図１乃至図３を用いて説明する。図１は、本発明の画像形成装置であり、プリンタ、複写機、あるいはＭＦＰ等の画像形成機器１を示すブロック図である。図１に示すように、この画像形成機器は画像読取部１０、システム部２０、及びプリンタ部３０を有する。画像形成機器１には更にコンピュータ４０及びファクシミリ５０が接続される。
【００１１】
画像読取部１０は、ＣＣＤ（Ｃｈａｒｇｅ  Ｃｏｕｐｌｅｄ  Ｄｅｖｉｃｅ）１１、アナログ−デジタル（ａｎａｌｏｇ  ｔｏ  ｄｉｇｉｔａｌ：Ａ／Ｄ）変換器１２、読取画像プロセッサ１３、及びスキャナＣＰＵ１４を有する。システム部２０は、インターフェース（Ｉ／Ｆ）２１、システムＣＰＵ２２、ページメモリ２３、ＨＤＤコントローラ２４、及びＨＤＤ２５を有する。プリンタ部３０は、プリント画像プロセッサ３１、プリンタＣＰＵ３２、及びレーザドライバ３３を有する。
【００１２】
次に画像形成機器１による画像形成工程について述べる、まず画像読取部１０にて、文書あるいは写真等の原稿をガラスからなる原稿台上にセットして、光源からの光で照射する。原稿からの反射光は、ミラーまたは集光レンズを介してＣＣＤ１１に読取られる。ＣＣＤ１１は、読取った反射光を光信号の強度に従ってアナログの画像信号に変換する。アナログ画像信号は、Ａ／Ｄ変換器１２にてデジタル画像信号に変換される。
【００１３】
Ａ／Ｄ変換されたデジタル画像信号は、読取画像プロセッサ１３に入力される。画像プロセッサは、デジタル画像信号に、フィルタリング、スムージング、ディザリング、中間調処理、誤差拡散、ガンマ補正、或いはシェーディング補正等の画像処理或いはアルゴリズムを実行して、集光レンズによる画像信号の低周波歪み或いはＣＣＤ１１の感度バラツキによる画像信号の高周波歪みを補正する。画像読取部１０のＣＣＤ１１、Ａ／Ｄ変換器１２、読取画像プロセッサ１３、及び他の構成要素はスキャナＣＰＵ１４により制御される。
【００１４】
読取画像プロセッサ１３からの画像データはシステム部２０のインターフェース２１に入力される。インターフェース２１に入力された画像データはページメモリ２３及び／又はＨＤＤ２５に保存可能であり、ＨＤＤ２５にあっては、ＨＤＤコントローラ２４を制御することにより画像データの書き込み及び読み出しが行なわれる。尚画像データの保存はこれに限定されず、画像形成機器１プリンタ部３０の構成に応じて変更可能である。インターフェース２１は、画像データをプリンタ部３０のプリント画像プロセッサ３１に供給する。
【００１５】
インターフェース２１によりプリント画像プロセッサ３１に供給される画像データは、読取画像プロセッサ１３から直接受信する画像データ、システム部２０のページメモリ２３、ＨＤＤ２５からの画像データ、コンピュータ４０（例えばプリント要求に応答する形で）から受信する画像データ、或いはファクシミリ５０（例えばファクスの受信に応答する形で）から受信する画像データ等である。システムＣＰＵ２２はインターフェース２１が読取画像プロセッサ１３から受信する画像データの保存、及びインターフェース２１によるプリント画像プロセッサ３１への画像データの出力を制御する。
【００１６】
プリント画像プロセッサ３１はインターフェース２１から受信した画像データを画像形成に適する形式、例えばラスタ画像データに変換する。レーザドライバ３３はラスタ画像データをプリント画像プロセッサ３１から受信し、レーザを制御して感光体ドラムにレーザ光を照射して、感光体ドラム上に潜像画像を形成する。潜像画像は現像され感光体ドラム上にトナー画像を形成される。感光体ドラム上に形成されたトナー画像は用紙等画像記録媒体上に転写され更に熱定着されて、用紙上に原稿画像を再現する。プリント画像プロセッサ３１及びレーザドライバ３３は、プリンタＣＰＵ３２により制御される。プリンタ部３０はレーザドライバ３３を用いるものとして示されているが、レーザドライバ３３を使用せずに、インクジェット方式またはバブルジェット（登録商標）方式のような他の画像形成技術を使用するものであっても良い。
【００１７】
次に図２を参照してＨＤＤ２５について詳述する。ＨＤＤ２５は磁気ディスク２６及びヘッド２７を有している。ヘッド２７はシステムＣＰＵ２２に制御されるＨＤＤコントローラ２４に駆動される制御部であるヘッドアセンブリ２８の先端に支持される。ヘッド２７は、磁気ディスク２６のメモリ領域２６ａに記憶されるデータの読み出し及び書き込みが可能なオペレーティングポジション或いは、メモリ領域２６ａから離れたセーフポジションのいずれかに位置するよう、ヘッドアセンブリ２８により移動制御される。システムＣＰＵ２２はタイマ２２ａを備え、画像形成機器１にて異常状態を発生してからの経過時間をカウントする。タイマ２２ａが画像形成機器１にて異常状態を発生してから所定時間例えば１．５ｓｅｃをカウントすると、ヘッド２７は、セーフポジションに移動を完了したものと認識される。
【００１８】
セーフポジションは、例えばヘッド２７が磁気ディスク２６のメモリ領域２６ａ近傍に位置しない全ての位置とすることが可能であり、メモリ領域２６ａの上方であっても、振動或いは衝撃によりヘッド２７がメモリ領域２６ａに当らない程度にメモリ領域２６ａから離間された位置であっても良い。或いはセーフポジションは図２に示す様に、ヘッド２７を磁気ディスク２６の外周より外側の外側セイフティエリア２９ａあるいは、磁気ディスク２６のメモリ領域２６ａより内側の内側セイフティエリア２９ｂの、磁気ディスク２６のメモリ領域２６ａ上方から外れた位置であっても良い。即ちセーフポジションは、ヘッド２７が磁気ディスク２６のメモリ領域２６ａから十分に離れて位置して、画像形成機器１に加わる振動或いは衝撃によってヘッド２７が磁気ディスク２６にぶつかり、ヘッド２７あるいは磁気ディスク２６が損傷されない位置であれば限定されない。
【００１９】
次に図３のＨＤＤ２５の保護プロセスを示すフローチャートを参照して、ＨＤＤ２５を保護するための作用について述べる。画像形成機器１にて画像形成動作を行っている間に異常状態が発生されると、検出部である各種センサにより画像形成機器１の異常状態が検出される（ステップ３０２）。ここで異常状態とは、例えば紙詰まり、サービスマンコール、ペーパエンプティ、トナーエンプティ、或いはトナーバッグ交換等、画像形成機器１が画像形成動作を継続することができなくなる状態である。
【００２０】
紙詰まりは、画像読取部１０での原稿詰り或いはプリンタ部３０での用紙詰りが発生した異常状態である。サービスマンコールは、例えば６ヶ月点検のように所定稼働期間を経過した後のサービスマンによるメンテナンス或いは、サービスマンによるメンテナンス作業を必要とする異常状態である。ペーパエンプティは、画像形成動作中に使用している給紙カセットが用紙無しを判断して、画像形成動作を中断した異常状態である。給紙カセット内の用紙の有無は、例えばプリンタ部３０のプリンタCPU３２にて給紙カセットが装着されていることを検出し、更に装着されている給紙カセット内の用紙の有無を検出することにより成される。トナーエンプティは、現像用の補給トナーが無くなった異常状態、トナーバッグ交換は廃トナーバッグが満杯になった異常状態である。これら各異常状態を検出するセンサの出力は、システムＣＰＵ２２に供給することが好ましく、システムＣＰＵ２２によって異常状態が生じているかどうかを判断される。
【００２１】
異常状態が検出されると、システムＣＰＵ２２はＨＤＤコントローラ２４にスタンバイコマンドを発行する（ステップ３０４）。スタンバイコマンドに応答して、ＨＤＤコントローラ２４はＨＤＤ２５のヘッドアセンブリ２８を図２の実線で示す位置から点線で示す位置に移動することにより、ヘッド２７をオペレーティングポジションからセーフポジションに退避させる（ステップ３０６）。この退避工程により、ヘッド２７は磁気ディスク２６から十分に離間される。従って操作者であるユーザによる作業である異常状態の解消操作により画像形成機器１に加わる振動或いは衝撃がＨＤＤ２５に伝わったとしても、ヘッド２７が磁気ディスク２６に当る恐れがない。
【００２２】
ヘッド２７の退避工程でタイマ２２ａは異常状態を発生してからの経過時間のカウントを開始する。タイマ２２ａが１．５ｓｅｃを経過した旨をカウントすると、システムＣＰＵ２２は、ヘッド２７がセーフポジションへの移動を完了したものと認識し通知する。（ステップ３０８）。
【００２３】
尚所定時間は、異常状態を検出してからヘッド２７がセーフポジションに到達するまでの退避工程に要する時間よりも長ければ良く、１．５ｓｅｃに限定されるものではない。このシステムＣＰＵ２２による所定時間の経過をチェックする判断工程は、異常状態を検出したらタイマ２２ａをスタートさせ、更にタイマ２２ａが所定時間に達したかどうかをチェックすることにより行う。所定時間は、最低限、ヘッド２７がオペレーティングポジションからセーフポジションまで移動するのに要する時間とされる。
【００２４】
判断工程により所定時間を経過したことを判断されると、システムＣＰＵ２２は、画像形成機器１内の例えばプリンタＣＰＵ３２に異常状態を通知する。この異常状態の通知によってプリンタＣＰＵ３２は、異常状態を表示する（ステップ３１０）。異常状態の表示は、例えばプリンタ部３０の表示部であるコントロールパネルのディスプレイ（図示せず）上に画像表示することにより目視可能とし、あるいは音声メッセージを発生して表示する等して行う。更にｅメールにより、ネットワーク管理者や現在画像形成中のユーザ、或いは直近のユーザに異常状態を送信して、必要部署に表示することも可能である。この異常状態の表示によりユーザは、画像形成機器１にて異常状態が発生していて且つ異常状態の原因を認識できる。
【００２５】
異常状態を通知されると、ユーザは異常状態の解消操作を開始するが、この時ＨＤＤ２５のヘッド２７は既にセーフポジションに退避されているので、異常状態である紙詰まり、サービスマンコール、ペーパエンプティ、トナーエンプティ、或いはトナーバッグ交換等を解消するために、画像読取部１０の原稿フィーダを開けたり、プリンタ部３０のフレームを開けたり或いは給紙カセットを取り出したりするときの振動或いは衝撃にかかわらず、ヘッド２７は磁気ディスク２６に当ることが無く、ヘッド２７及び磁気ディスク２６の損傷を防止出来る。この後ユーザは異常状態の解消操作を行い、原稿フィーダ、フレーム或いは給紙カセット等を元に戻し、解消操作を完了して、画像形成動作可能とするが、この間ヘッド２７及び磁気ディスク２６は損傷されるのを防止される。
【００２６】
異常状態が生じている間、システムＣＰＵ２２は画像形成機器１のチェックを行って、異常状態が解消されたかどうかを判断する（ステップ３１２）。異常状態が解消されると、異常状態の表示を解除する（ステップ３１４）。例えば異常状態が解消された旨の適切なメッセージをコントロールパネルのディスプレイ上に表示し或いは音声メッセージを伝える。これによってユーザは異常状態によって中断していたジョブを継続しあるいは新規ジョブを開始可能と成る。
【００２７】
更に異常状態が解消されると、アイドリング指示がＨＤＤ２５に対して行なわれる（ステップ３１６）。アイドリング指示を受けて、ＨＤＤコントローラ２４はＨＤＤ２５のヘッドアセンブリ２８を図２の点線で示す位置からメモリ領域２６ａ方向に移動して、ヘッド２７をセーフポジションから、メモリ領域２６ａ近傍のオペレーティングポジションまで移動してリスタート可能とする。この後画像形成機器１はウォームアップ状態になって、中断していたジョブを全て完了させ、あるいは新規ジョブを開始可能となる。
【００２８】
このように構成される本実施例にあっては、ＨＤＤ２５を有する高機能の画像形成機器１の画像形成動作中に画像読取部１０或いはプリンタ部３０にて異常状態が生じると、ユーザに異常状態を表示する前に、先ず、ＨＤＤ２５のヘッド２７をオペレーティングポジションからセーフポジションに退避させる。次いでヘッド２７がセーフポジションに退避する退避工程を完了した後に、異常状態をユーザに表示している。従って、ユーザは、ヘッド２７がセーフポジションに退避した後に、異常状態の解消操作を開始するので、解消操作による画像形成機器１の振動或いは衝撃がＨＤＤ２５に伝達されたとしても、ヘッド２７が磁気ディスク２６ａに当る事が無く、ヘッド２７或いは磁気ディスク２６ａの損傷を確実に防止出来、高機能を有する画像形成装置の信頼性を向上出来る。
【００２９】
尚本発明は上記実施例に限定されず、その趣旨を変えない範囲での変更は可能であって、例えば、画像形成装置は、プリンタに限らず複写機、ファクシミリ或いはＭＦＰ等任意であるし、画像形成装置にて発生される異常状態も各種機構に応じて多様である。また、ＨＤＤのヘッドを移動させる制御部の構造或いはヘッドをオペレーティングポジション及びセーフポジション間で移動する時の移動に要する時間等も限定されない。
【図面の簡単な説明】
【００３０】
【図１】本発明の実施例の画像形成機器を示すブロック図である。
【図２】本発明の実施例のハードディスクドライブを示す概略構成図である。
【図３】本発明の実施例のハードディスクドライブの保護プロセスを示すフローチャートである。
【符号の説明】
【００３１】
１…画像形成機器
１０…画像読取部
１１…ＣＣＤ
１２…Ａ／Ｄ変換器
１３…読取画像プロセッサ
１４…スキャナＣＰＵ
２０…システム部
２１…インターフェース
２２…システムＣＯＵ
２３…ページメモリ
２４…ＨＤＤコントローラ
２５…ＨＤＤ
２６…磁気ディスク
２６ａ…メモリ領域
２７…ヘッド
２８…ヘッドアセンブリ
２９ａ…外側セイフティエリア
２９ｂ…内側セイフティエリア
３０…プリンタ部
３１…プリント画像プロセッサ
３２…プリンタＣＰＵ
３３…レーザドライバ
４０…コンピュータ
５０…ファクシミリ
【図１】
2006297896.tif 000003
【図２】
2006297896.tif 000004
【図３】
2006297896.tif 000005